(57)【要約】【課題】  本発明は、比較的短時間にて、真空遮断器に電力を供給する電源コンデンサの静電容量を計測する真空遮断器システムを提供する。【解決手段】  本発明の真空遮断器システムは、電源コンデンサと、電源コンデンサで駆動する電磁石と、電源コンデンサの電圧を計測する電圧センサと、有する真空遮断器と、電圧センサにて計測された電源コンデンサの電圧に基づいて、電源コンデンサのコンデンサ充電時間を計測する動作時間計測部と、動作時間計測部にて計測された電源コンデンサのコンデンサ充電時間と予め計測された電源コンデンサの初期コンデンサ充電時間とを比較し、電源コンデンサの異常の有無を判定する比較部と、を有する状態監視装置と、を有することを特徴とする。【選択図】  図１
2020102397.tif 000002
【特許請求の範囲】
【請求項１】
電源コンデンサと、前記電源コンデンサで駆動する電磁石と、前記電源コンデンサの電圧を計測する電圧センサと、有する真空遮断器と、
前記電圧センサにて計測された前記電源コンデンサの電圧に基づいて、前記電源コンデンサのコンデンサ充電時間を計測する動作時間計測部と、前記動作時間計測部にて計測された前記電源コンデンサのコンデンサ充電時間と予め計測された前記電源コンデンサの初期コンデンサ充電時間とを比較し、前記電源コンデンサの異常の有無を判定する比較部と、を有する状態監視装置と、
を有することを特徴とする真空遮断器システム。
【請求項２】
前記状態監視装置は、前記比較部にて比較された結果、前記コンデンサ充電時間が前記初期コンデンサ充電時間より短い場合に、異常状態として表示する異常状態表示部を有することを特徴とする請求項１に記載する真空遮断器システム。
【請求項３】
前記状態監視装置は、電源コンデンサのコンデンサ温度と、前記電源コンデンサの静電容量の温度特性と、に基づいて、前記電源コンデンサの静電容量を補正する静電容量補正部を有することを特徴とする請求項１に記載する真空遮断器システム。
【請求項４】
前記状態監視装置は、前記電源コンデンサと前記電磁石とを接続する導線の導線温度と、前記導線の導線抵抗の温度特性と、に基づいて、前記電源コンデンサのコンデンサ充電時間を補正することを特徴とする請求項１に記載する真空遮断器システム。
【請求項５】
電源コンデンサの電圧を計測する電圧センサにて計測された前記電源コンデンサの電圧に基づいて、前記電源コンデンサのコンデンサ充電時間を計測し、
計測された前記電源コンデンサのコンデンサ充電時間と予め計測された前記電源コンデンサの初期コンデンサ充電時間とを比較し、前記電源コンデンサの異常の有無を判定する、
ことを特徴とする真空遮断器の異常診断方法。
【請求項６】
比較された結果、前記コンデンサ充電時間が前記初期コンデンサ充電時間より短い場合に、異常状態として表示することを特徴とする請求項５に記載する真空遮断器の異常診断方法。
【請求項７】
電源コンデンサのコンデンサ温度と、前記電源コンデンサの静電容量の温度特性と、に基づいて、前記電源コンデンサの静電容量を補正することを特徴とする請求項５に記載する真空遮断器の異常診断方法。
【請求項８】
前記電源コンデンサと電磁石とを接続する導線の導線温度と、前記導線の導線抵抗の温度特性と、に基づいて、前記電源コンデンサのコンデンサ充電時間を補正することを特徴とする請求項５に記載する真空遮断器の異常診断方法。
【発明の詳細な説明】
【技術分野】
【０００１】
本発明は、真空遮断器を有する真空遮断器システムおよび真空遮断器の異常診断方法に関するものであり、特に、真空遮断器に設置される電源コンデンサの静電容量を監視するものである。
【背景技術】
【０００２】
真空遮断器システムには、真空遮断器に電力を供給する電源コンデンサが設置される。この電源コンデンサは、電源コンデンサの劣化状態を診断（判定）するため、電源コンデンサの静電容量を監視（計測）する必要がある。
【０００３】
こうした本技術分野の背景技術として、国際公開ＷＯ２０１０／１５０５９９号公報（特許文献１）がある。この公報には、運用中の電力用機器（真空遮断器）のコンデンサの容量適否診断を可能とするため、コンデンサに充電するための電源と、コンデンサのエネルギを放電させるためコンデンサに並列に接続される放電回路と、放電時の電圧低下を測定するための抵抗分圧回路と、分圧電圧を測定する測定回路と、放電による電圧の時間変化からコンデンサ容量の良否を判定する診断回路と、を備えたコンデンサ容量診断装置が記載されている（要約参照）。
【先行技術文献】
【特許文献】
【０００４】
【特許文献１】国際公開ＷＯ２０１０／１５０５９９号公報
【発明の概要】
【発明が解決しようとする課題】
【０００５】
特許文献１には、運用中の電力用機器（真空遮断器）のコンデンサの容量適否診断を可能とするコンデンサ容量診断装置が記載され、放電による電圧の時間変化からコンデンサ容量の良否を判定することが記載されている。
【０００６】
しかし、特許文献１に記載されているコンデンサ容量診断装置は、電源コンデンサの静電容量の良否を判定する際に、比較的長時間を必要とする放電によるコンデンサ電圧を計測するものであり、電源コンデンサの静電容量の計測時間を考慮していない。
【０００７】
そこで、本発明は、比較的短時間にて、真空遮断器に電力を供給する電源コンデンサの静電容量を計測する真空遮断器システムおよび真空遮断器の異常診断方法を提供する。
【課題を解決するための手段】
【０００８】
上記課題を解決するため、本発明の真空遮断器システムは、電源コンデンサと、電源コンデンサで駆動する電磁石と、電源コンデンサの電圧を計測する電圧センサと、有する真空遮断器と、電圧センサにて計測された電源コンデンサの電圧に基づいて、電源コンデンサのコンデンサ充電時間を計測する動作時間計測部と、動作時間計測部にて計測された電源コンデンサのコンデンサ充電時間と予め計測された電源コンデンサの初期コンデンサ充電時間とを比較し、電源コンデンサの異常の有無を判定する比較部と、を有する状態監視装置と、を有することを特徴とする。
【０００９】
また、本発明の真空遮断器の異常診断方法は、電源コンデンサの電圧を計測する電圧センサにて計測された電源コンデンサの電圧に基づいて、電源コンデンサのコンデンサ充電時間を計測し、計測された電源コンデンサのコンデンサ充電時間と予め計測された電源コンデンサの初期コンデンサ充電時間とを比較し、電源コンデンサの異常の有無を判定する、ことを特徴とする。
【発明の効果】
【００１０】
本発明によれば、比較的短時間にて、真空遮断器に電力を供給する電源コンデンサの静電容量を計測する真空遮断器システムおよび真空遮断器の異常診断方法を提供することができる。
【００１１】
なお、上記した以外の課題、構成および効果は、下記する実施例の説明により明らかにされる。
【図面の簡単な説明】
【００１２】
【図１】本実施例に係る真空遮断器システムを説明する説明図である。
【図２】本実施例に係る真空遮断器を説明する説明図である。
【図３】電源コンデンサの電圧と開極投入指令波形との関係を説明する説明図である。
【図４】本実施例に係る真空遮断器の状態監視装置を説明する説明図である。
【図５】実施例２に係る真空遮断器を説明する説明図である。
【図６】実施例２に係る真空遮断器の状態監視装置を説明する説明図である。
【図７】電源コンデンサの静電容量の温度特性を説明する説明図である。
【図８】実施例３に係る真空遮断器の状態監視装置を説明する説明図である。
【発明を実施するための形態】
【００１３】
以下、本発明の実施例を、図面を使用して説明する。なお、同一または類似の構成には、同一の符号を付し、説明が重複する場合には、その説明を省略する場合がある。
【実施例１】
【００１４】
図１は、本実施例に係る真空遮断器システムを説明する説明図（側面図）である。
【００１５】
本実施例に記載する真空遮断器システム（スイッチギア）１５０ａは、真空遮断器１５６ａが設置される真空遮断器室１５４ａ、制御部２５０や状態監視装置が設置される計測器室１５２ａ、真空遮断器室１５４ａと計測器室１５２ａとの間を連結する制御線や電力線である母線１６２が設置される母線室１５３を有する。
【００１６】
なお、本実施例に記載する真空遮断器システム１５０ａは、特に、多頻度に充放電を繰り返し（多頻度に開閉動作を繰り返し）寿命が短くなる可能性がある電源コンデンサを内蔵した電鉄用の真空遮断器に適用することが好ましい。
【００１７】
ここで、制御部２５０は、真空遮断器１５６ａを開閉制御し、状態監視装置からの信号に基づいて真空遮断器１５６ａの電源コンデンサをＯＮ／ＯＦＦ制御するものである。
【００１８】
また、計測器室１５２ａに設置される状態監視装置は、真空遮断器１５６ａの電源コンデンサの動作時間（コンデンサ充電時間）を計測する動作時間（コンデンサ充電時間）計測部２２０、計測された動作時間（コンデンサ充電時間）と予め設定（計測）された動作時間（初期コンデンサ充電時間２０２ｂ）とを比較する比較部２２１、比較の結果、異常状態であると判定された場合に、その異常状態（電源コンデンサ１６の静電容量の減少）を表示する異常状態表示部２２２を有する。
【００１９】
つまり、本実施例に記載する状態監視装置は、電源コンデンサの異常状態を診断するものである。
【００２０】
図２は、本実施例に係る真空遮断器を説明する説明図（正面図）である。
【００２１】
機構ケース１０の内部に設置される真空遮断器１５６ａは、電磁石（電磁操作器）１４、電磁石１４を駆動するための電源コンデンサ１６を有する。
【００２２】
この電源コンデンサ１６には、電源コンデンサ１６の両端電圧を計測する電圧センサ１７が、電源コンデンサ１６の近傍に設置される。そして、この電圧センサ１７にて計測された電源コンデンサ１６の電圧の変化、つまり、電源コンデンサ１６の充電時間の変化を監視（計測）し、電源コンデンサ１６の静電容量の変化を監視（計測）する。
【００２３】
なお、電源コンデンサ１６は、真空遮断器１５６ａの電磁石１４に電力を供給（通電）し、電磁石１４を駆動（開極動作）させる。
【００２４】
図３は、電源コンデンサの電圧と開極投入指令波形との関係を説明する説明図である。
【００２５】
電源コンデンサ１６のコンデンサ電圧３００は、開極投入指令（波形）１０１に応じて、初期コンデンサ電圧３０１からコンデンサ放電電圧３０２まで降下（放電）し、その後、コンデンサ放電電圧３０２からコンデンサ充電電圧３０３まで上昇（充電）する。
【００２６】
ここで、初期コンデンサ電圧３０１からコンデンサ放電電圧３０２まで放電される（推移する）時間（コンデンサ放電時間２０１ａ）とコンデンサ放電電圧３０２からコンデンサ充電電圧３０３まで充電される（推移する）時間（コンデンサ充電時間２０１ｂ）とにおいては、コンデンサ放電時間２０１ａよりコンデンサ充電時間２０１ｂが短時間である。そこで、本実施例では、コンデンサ放電時間２０１ａに比較して短時間なコンデンサ充電時間２０１ｂを使用して、真空遮断器１５６ａに電力を供給する電源コンデンサ１６のコンデンサ容量（静電容量）を計測する。
【００２７】
図４は、本実施例に係る真空遮断器の状態監視装置を説明する説明図（ブロック図）であり、真空遮断器室１５４ａと計測器室１５２ａとの接続を示すものである。
【００２８】
計測器室１５２ａに設置される状態監視装置は、動作時間（コンデンサ充電時間）計測部２２０、比較部２２１、異常状態表示部２２２を有する。
【００２９】
図３に記載される、真空遮断器１５６ａの開動作時（開極投入指令時）における、初期コンデンサ電圧３０１からコンデンサ放電電圧３０２まで推移するコンデンサ放電時間２０１ａ、および、コンデンサ放電電圧３０２からコンデンサ充電電圧３０３まで推移するコンデンサ充電時間２０１ｂを、真空遮断器室１５４ａに設置される電圧センサ１７にて計測された電源コンデンサ１６の電圧に基づいて、動作時間計測部２２０にて、計測する。そして、動作時間計測部２２０は、計測されるコンデンサ充電時間２０１ｂを、比較部２２１に出力する。合わせて、コンデンサ放電時間２０１ａを、比較部２２１に出力してもよい。
【００３０】
比較部２２１は、判定値として、予め設定（計測）された電源コンデンサ１６の初期コンデンサ充電時間２０２ｂを入力する。また、合わせて、予め設定（計測）された電源コンデンサ１６の初期コンデンサ放電時間２０２ａを入力してもよい。なお、この初期コンデンサ充電時間２０２ｂや初期コンデンサ放電時間２０２ａは、予め計測されるものであり、電源コンデンサ１６の正常状態の際に予め計測された値を、比較部２２１が保存していてもよい。
【００３１】
そして、比較部２２１は、比較部２２１に入力される初期コンデンサ充電時間２０２ｂと、動作時間計測部２２０にて計測され、比較部２２１に出力されるコンデンサ充電時間２０１ｂと、を比較する。
【００３２】
比較部２２１にて、比較の結果、コンデンサ充電時間２０１ｂが初期コンデンサ充電時間２０２ｂよりも短い場合（コンデンサ充電時間２０１ｂ＜初期コンデンサ充電時間２０２ｂ）には、異常状態である（電源コンデンサ１６のコンデンサ容量（静電容量）が減少した）と判定され、その旨を、異常状態表示部２２２に出力する。
【００３３】
つまり、比較部２２１は、電源コンデンサ１６の異常の有無を判定（診断）するものである。
【００３４】
この際、一定の許容範囲（＋α）を設定してもよい。つまり、コンデンサ充電時間２０１ｂ＋α＜初期コンデンサ充電時間２０２ｂとしてもよい。なお、この一定の許容範囲（＋α）は、電源コンデンサ１６の耐用年数（使用環境や運転条件）に応じて、適宜設定することができる。
【００３５】
そして、異常状態表示部２２２は、その旨を表示する。つまり、異常状態表示部２２２は、比較部２２１にて比較された結果（比較の結果）、コンデンサ充電時間２０１ｂが初期コンデンサ充電時間２０２ｂより短い場合に、異常状態として表示する。
【００３６】
ここで、電源コンデンサの充電時間ｔ（時定数）と電源コンデンサの静電容量Ｃとの関係について説明する。電源コンデンサの充電時間ｔは、電源コンデンサの静電容量Ｃと回路の抵抗Ｒとの積ＲＣ（＝ｔ）により決定される。電源コンデンサの静電容量Ｃが減少すると、この積ＲＣも減少するため、電源コンデンサの充電時間ｔも減少し、電源コンデンサの充電時間ｔの減少により、電源コンデンサの静電容量Ｃの減少を、定量的に判定することができる。本実施例では、電源コンデンサの静電容量Ｃの変化に比較して、回路の抵抗Ｒの変化は極めて小さい（ほぼ一定と考えられる）ため、電源コンデンサの静電容量Ｃの減少と、電源コンデンサの充電時間ｔの減少と、を関係づけて、定量的に判定する。
【００３７】
このように、本実施例に記載する真空遮断器システムは、真空遮断器１５６ａの電源コンデンサ１６の電圧を計測する回路（電圧センサ１７）を設置し、真空遮断器１５６ａの開動作時における電源コンデンサ１６のコンデンサ充電時間を計測し、予め計測された判定値（電源コンデンサ１６の初期コンデンサ充電時間）と比較し、電源コンデンサ１６の静電容量を計測するものである。
【００３８】
これにより、比較的短時間にて、真空遮断器１５６ａに電力を供給する電源コンデンサ１６の静電容量を計測することができ、電源コンデンサ１６の劣化状態（異常状態）を診断（判定）することができる。
【００３９】
更には、本実施例によれば、計測信号にノイズが重畳した場合でも、コンデンサ充電電圧への影響は小さいため、コンデンサ充電時間から正確に電源コンデンサ１６の静電容量を計測することができ、電源コンデンサ１６の劣化状態を判定することができる。
【００４０】
なお、計測信号にノイズが重畳した場合とは、真空遮断器１５６ａの近傍に設置される回路に過大な短絡電流が発生（流通）した場合に、真空遮断器１５６ａの近傍にノイズが発生し、コンデンサ電流をコンデンサ電圧に変換する過程において、計測信号にノイズが重畳される場合である。
【００４１】
本実施例によれば、こうした計測信号にノイズが重畳した場合であっても、正確に電源コンデンサ１６の静電容量を計測することができ、電源コンデンサ１６の劣化状態を早期に判定することができる。
【００４２】
更には、電源コンデンサ１６の静電容量を計測する際に、主回路を停電させ、電源コンデンサ１６を引き出して、計測する必要もない。
【実施例２】
【００４３】
図５は、実施例２に係る真空遮断器を説明する説明図（正面図）である。
【００４４】
本実施例に記載する真空遮断器１５６ｂは、実施例１に記載する真空遮断器１５６ａに加えて、電源コンデンサ１６のコンデンサ温度を計測する温度計測部（温度センサ）２２３を有する。
【００４５】
図６は、実施例２に係る真空遮断器の状態監視装置を説明する説明図（ブロック図）であり、真空遮断器室１５４ｂと計測器室１５２ｂとの接続を示すものである。
【００４６】
本実施例に記載する計測器室１５２ｂに設置される状態監視装置は、実施例１に記載する状態監視装置に設置される動作時間（コンデンサ充電時間）計測部２２０、比較部２２１、異常状態表示部２２２に加えて、電源コンデンサ１６の静電容量を補正する静電容量補正部３１０を有する。
【００４７】
静電容量補正部３１０は、温度計測部２２３にて計測される電源コンデンサ１６のコンデンサ温度５０２を入力する。また、静電容量補正部３１０は、電源コンデンサ１６の静電容量の温度特性２０４を入力する。
【００４８】
本実施例においても、実施例１と同様に、電源コンデンサ１６のコンデンサ充電時間２０１ｂ（コンデンサ放電時間２０１ａ）と電源コンデンサ１６の初期コンデンサ充電時間２０２ｂ（初期コンデンサ放電時間２０２ａ）とを比較する。本実施例においては、更に、コンデンサ温度５０２と電源コンデンサ１６の静電容量の温度特性２０４とに基づいて、電源コンデンサ１６の静電容量を補正する。
【００４９】
例えば、電源コンデンサ１６がフィルムコンデンサの場合、フィルム材料の種類により、静電容量に正の温度特性、または、負の温度特性を有するものがある。
【００５０】
図７は、電源コンデンサの静電容量の温度特性を説明する説明図である。
【００５１】
図７に示すように、電源コンデンサ１６の静電容量の温度特性２０４は、例えば、フィルムコンデンサのフィルム材料が、ポリエステルの場合は、電源コンデンサ１６の静電容量の温度特性２０４ａは、初期コンデンサ静電容量２０３から温度上昇（所定の温度からの上昇）に応じて、静電容量が増加する。一方、例えば、フィルムコンデンサのフィルム材料が、ポリプロピレンの場合は、電源コンデンサ１６の静電容量の温度特性２０４ｂは、初期コンデンサ静電容量２０３から温度上昇（所定の温度からの上昇）に応じて、静電容量が減少する。
【００５２】
つまり、コンデンサ温度５０２が、予め計測した温度よりも低い場合、電源コンデンサ１６に劣化が発生していない場合であっても、フィルム材料ポリエステルの場合には、電源コンデンサ１６の静電容量が減少し、フィルム材料ポリプロピレンの場合には、電源コンデンサ１６の静電容量が増加する。一方、コンデンサ温度５０２が、予め計測した温度よりも高い場合、電源コンデンサ１６に劣化が発生していない場合であっても、フィルム材料ポリエステルの場合には、電源コンデンサ１６の静電容量が増加し、フィルム材料ポリプロピレンの場合には、電源コンデンサ１６の静電容量が減少する。
【００５３】
このように、静電容量補正部３１０は、コンデンサ温度５０２と電源コンデンサ１６の静電容量の温度特性２０４とに基づいて、電源コンデンサ１６の静電容量の補正量を算出する。そして、静電容量補正部３１０は、算出された電源コンデンサ１６の静電容量の補正量を比較部２２１に出力する。
【００５４】
比較部２２１では、電源コンデンサ１６の静電容量が減少したと判定された場合、減少した静電容量（静電容量の減少量）を、コンデンサ温度５０２と電源コンデンサ１６の静電容量の温度特性２０４とに基づいて算出された電源コンデンサ１６の静電容量の補正量を使用して補正する。つまり、静電容量の減少量に対して、静電容量の補正量を使用して、電源コンデンサ１６の静電容量を、増加（減少量＋補正量）または減少（減少量−補正量）する。
【００５５】
なお、図７に記載する電源コンデンサの静電容量の温度特性（コンデンサ温度と静電容量との関係）については、予め計測されたコンデンサ温度と静電容量との関係を使用することができる。必ずしも、温度上昇に応じて、静電容量が単調増加または単調減少するものである必要はない。また、こうした電源コンデンサの静電容量の温度特性を関数にて保存し、計測されたコンデンサ温度５０２に基づいて静電容量を算出してもよい。
【００５６】
このように、本実施例では、コンデンサ充電時間２０１ｂ（コンデンサ放電時間２０１ａ）と初期コンデンサ充電時間２０２ｂ（初期コンデンサ放電時間２０２ａ）とに基づいて算出された電源コンデンサ１６の静電容量を、コンデンサ温度５０２と静電容量の温度特性２０４とに基づいて算出された電源コンデンサ１６の静電容量を使用して補正するため、正確に電源コンデンサ１６の静電容量を計測することができ、電源コンデンサ１６の劣化状態を精度よく判定することができる。
【実施例３】
【００５７】
図８は、実施例３に係る真空遮断器の状態監視装置を説明する説明図（ブロック図）であり、真空遮断器室１５４ｃと計測器室１５２ｃとの接続を示すものである。
【００５８】
本実施例に記載する計測器室１５２ｃに設置される状態監視装置は、実施例２に記載する状態監視装置に設置される動作時間（コンデンサ充電時間）計測部２２０、比較部２２１、異常状態表示部２２２、静電容量補正部３１０に加えて、電源コンデンサ１６のコンデンサ充電時間２０１ｂを補正するコンデンサ充電時間補正部３１１を有する。
【００５９】
なお、本実施例に記載する真空遮断器１５６ｃは、電磁石１４に設置される永久磁石（図示せず）と電源コンデンサ１６とが、導線（図示せず）にて接続され、そして、この導線の温度（導線温度）を計測する導線温度計測部（図示なし）を有する。
【００６０】
コンデンサ充電時間補正部３１１は、導線温度計測部にて計測される導線温度５０３を入力する。また、コンデンサ充電時間補正部３１１は、導線抵抗の温度特性２０５を入力する。
【００６１】
本実施例においても、実施例１や実施例２と同様に、電源コンデンサ１６のコンデンサ充電時間２０１ｂ（コンデンサ放電時間２０１ａ）と電源コンデンサ１６の初期コンデンサ充電時間２０２ｂ（初期コンデンサ放電時間２０２ａ）とを比較する。
【００６２】
そして、本実施例においても、実施例２と同様に、静電容量補正部３１０にて、コンデンサ温度５０２と電源コンデンサ１６の静電容量の温度特性２０４とに基づいて、電源コンデンサ１６の静電容量を補正する。本実施例においては、更に、コンデンサ充電時間補正部３１１にて、導線温度５０３と導線抵抗の温度特性２０５とに基づいて、電源コンデンサ１６のコンデンサ充電時間２０１ｂを補正する。
【００６３】
電源コンデンサ１６と永久磁石とを接続する導線は、式（１）に示すように、導線温度５０３と導線抵抗との関係（導線抵抗の温度特性２０５）を有する。
【００６４】
ρ（Ｔ）=１．５４７５＋０．００６８７２５×Ｔ・・・・・・式（１）
ここで、ρ（Ｔ）は温度Ｔにおける抵抗率（10-8）（導線抵抗）、Ｔは温度（導線温度）である。なお、抵抗Ｒは、ρ（Ｔ）×（導線の長さ÷導線の断面積）であり、（導線の長さ÷導線の断面積）は、一定であるため、抵抗Ｒの変化はρ（Ｔ）の変化と同様の傾向を示すことになる。
【００６５】
つまり、導線抵抗は導線温度に応じて変化する。導線温度が増加（減少）すると、導線抵抗も増加（減少）することになる。
【００６６】
このため、静電容量Ｃと抵抗Ｒとの積ＲＣ（＝ｔ）により決定される電源コンデンサ１６の充電時間ｔは、抵抗Ｒが変化することにより、変化することになる。つまり、静電容量Ｃが一定の場合であっても、抵抗Ｒが増加（減少）することにより、充電時間ｔも増加（減少）することになる。そして、充電時間ｔが一定の場合であっても、抵抗Ｒが増加することにより、静電容量Ｃは減少することになる。
【００６７】
このように、本実施例では、静電容量Ｃが一定の場合であっても、充電時間ｔが変化するため、導線抵抗の温度特性２０５を考慮して、充電時間ｔを算出することにより、より精度よく電源コンデンサ１６の静電容量を計測することができ、電源コンデンサ１６の劣化状態をより精度よく判定することができる。
【００６８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。
【符号の説明】
【００６９】
１０…機構ケース、１４…電磁石、１６…電源コンデンサ、１７…電圧センサ、１５０ａ…真空遮断器システム、１５２ａ、１５２ｂ、１５２ｃ…計測器室、１５３…母線室、１５４ａ、１５４ｂ、１５４ｃ…真空遮断器室、１５６ａ、１５６ｂ、１５６ｃ…真空遮断器、１６２…母線、１０１…開極投入指令、２０１ａ…コンデンサ放電時間、２０１ｂ…コンデンサ充電時間、２０２ｂ…初期コンデンサ充電時間、２０３…初期コンデンサ静電容量、２０４、２０４ａ、２０４ｂ…静電容量の温度特性、２０５…導線抵抗の温度特性、２２０…動作時間計測部、２２１…比較部、２２２…異常状態表示部、２２３…温度計測部、２５０…制御部、３００…コンデンサ電圧、３０１…初期コンデンサ電圧、３０２…コンデンサ放電電圧、３０３…コンデンサ充電電圧、３１０…静電容量補正部、３１１…コンデンサ充電時間補正部、５０２…コンデンサ温度、５０３…導線温度
【図１】
2020102397.tif 000003
【図２】
2020102397.tif 000004
【図３】
2020102397.tif 000005
【図４】
2020102397.tif 000006
【図５】
2020102397.tif 000007
【図６】
2020102397.tif 000008
【図７】
2020102397.tif 000009
【図８】
2020102397.tif 000010